(57)【要約】【課題】複数の被覆電線が取り付けられる圧接コネクタにおいて、破損が生じることをより確実に抑制できるようにする。【解決手段】圧接コネクタ１のハウジング３は、複数の電線保持部６００，７００を有している。電線保持部６００，７００は、所定の配列方向Ｅ１に並んで配置されており、対応する被覆電線１０１ａ，１０１ｂを保持する。電線保持部６００，７００は、被覆電線１０１ａ，１０１ｂを受け容れる電線保持溝６０４，７０４を形成するように対向配置された一対の電線保持片６０５，６０７；７０５，７０７を有している。ハウジング３は、第１剛性低減部８１を有している。第１剛性低減部８１は、配列方向Ｅ１に隣接する２つの第２電線保持片６０７，７０７間に配置されている。【選択図】        図１
2014209410.tif 000002
【特許請求の範囲】
【請求項１】
芯線部を被覆部で被覆した構成をそれぞれ有する複数の被覆電線に接続される圧接コネクタであって、
複数の前記被覆電線のそれぞれに対応して設けられ、前記被覆部を切断し前記芯線部に接触するための複数のコンタクトと、
複数の前記コンタクトを保持するハウジングと、を備え、
前記ハウジングは、複数の前記被覆電線のそれぞれに対応して設けられ対応する前記被覆電線を保持するための複数の電線保持部を有し、
複数の前記電線保持部は、複数の前記被覆電線が配列される所定の配列方向に並んで配置されており、
各前記電線保持部は、前記被覆電線を受け容れる電線保持溝を形成するように対向配置された一対の電線保持片を有し、
前記ハウジングは、前記配列方向に隣接する２つの前記電線保持部において前記配列方向に隣接する２つの所定の前記電線保持片間に配置された、剛性低減部を有していることを特徴とする、圧接コネクタ。
【請求項２】
請求項１に記載の圧接コネクタであって、
各前記電線保持部は、前記電線保持片から前記電線保持溝に向けて突出する突起部を有していることを特徴とする、圧接コネクタ。
【請求項３】
請求項２に記載の圧接コネクタであって、
前記突起部と前記剛性低減部とは、前記配列方向に並んで配置されていることを特徴とする、圧接コネクタ。
【請求項４】
請求項１乃至請求項３のいずれか１項に記載の圧接コネクタであって、
前記剛性低減部は、２つの所定の前記電線保持片間に形成された空間形成部を有していることを特徴とする、圧接コネクタ。
【請求項５】
請求項４に記載の圧接コネクタであって、
前記電線保持溝は、前記被覆電線が挿入される方向としての所定の挿入方向と反対の反対方向に開放されており、且つ、前記挿入方向に沿って変位される前記被覆電線を受け容れることが可能に構成されており、
前記空間形成部によって形成された空間は、前記反対方向に向けて開放されていることを特徴とする、圧接コネクタ。
【請求項６】
請求項１乃至請求項５のいずれか１項に記載の圧接コネクタであって、
前記剛性低減部は、前記ハウジングの母材の弾力性よりも高い弾力性を有する材料を用いて形成されていることを特徴とする、圧接コネクタ。
【請求項７】
請求項１乃至請求項６のいずれか１項に記載の圧接コネクタであって、
前記配列方向と直交し且つ前記電線保持溝が延びる方向と平行な方向において、前記電線保持溝の長さは前記剛性低減部の長さよりも大きく設定されていることを特徴とする、圧接コネクタ。
【請求項８】
請求項１乃至請求項７のいずれか１項に記載の圧接コネクタであって、
前記ハウジングは、
前記配列方向に隣接する２つの前記コンタクトの間に配置された仕切部と、
前記仕切部に隣接する前記電線保持片と前記仕切部との間に形成された第２の剛性低減部と、を有していることを特徴とする、圧接コネクタ。
【請求項９】
請求項１乃至請求項８のいずれか１項に記載の圧接コネクタであって、
複数の前記電線保持部は、前記配列方向における複数の前記電線保持部の端部に配置された端部電線保持片を有し、
前記ハウジングは、
前記端部電線保持片に隣接して配置された壁部と、
前記端部電線保持片及び前記壁部の間に配置された第３の剛性低減部と、を有していることを特徴とする、圧接コネクタ。
【請求項１０】
請求項９に記載の圧接コネクタであって、
前記ハウジングは、前記端部電線保持片に隣接して配置されたストッパ部を有し、
前記ストッパ部は、前記配列方向における前記端部電線保持片の変形量を規制するように構成されていることを特徴とする、圧接コネクタ。
【請求項１１】
芯線部を被覆部で被覆した構成をそれぞれ有する複数の被覆電線の前記被覆部を切断することで前記被覆部から露呈する前記芯線部と接触する圧接コネクタに用いられる、ハウジングであって、
複数の前記被覆電線のそれぞれに対応して設けられ対応する前記被覆電線を保持するための複数の電線保持部を有し、
複数の前記電線保持部は、複数の前記被覆電線が配列される所定の配列方向に並んで配置されており、
各前記電線保持部は、前記被覆電線を受け容れる電線保持溝を形成するように対向配置された一対の電線保持片を有し、
前記ハウジングは、前記配列方向に隣接する２つの前記電線保持部において前記配列方向に隣接する２つの所定の前記電線保持片間に配置された、剛性低減部を有していることを特徴とする、ハウジング。
【発明の詳細な説明】
【技術分野】
【０００１】
本発明は、被覆電線と電気的に接続される圧接コネクタ、及びこれに用いられるハウジングに関する。
【背景技術】
【０００２】
圧接コネクタは、被覆電線と電気的に接続される。具体的には、圧接コネクタは、コンタクトを有している。コンタクトは、被覆電線の被覆部を切断するための刃部と、被覆部のうち切断された箇所を通って被覆電線の芯線部に接触する接触部と、を有している。
【０００３】
上記のコンタクトは、ハウジングに保持されている。このハウジングは、例えば、合成樹脂で形成されている。このハウジングは、被覆電線を保持する構成を有している（例えば、特許文献１参照）。
【０００４】
特許文献１に記載のハウジングは、被覆電線を保持する電線保持部を有している。電線保持部は、横並びに配置された複数の抜け止め突起を有している。隣り合う２つの抜け止め突起によって、Ｕ字状の溝部が形成されている。この溝部に、被覆電線が挿入される。溝部に挿入された被覆電線は、抜け止め突起に挟まれる。抜け止め突起の先端からは、押さえ片が突出している。押さえ片は、溝部に向けて延びており、溝部の幅を狭くしている。被覆電線は、溝部に挿入される際、一対の押さえ片間を通り、一対の押さえ片を撓ませることで、溝部の間隔を拡げる。そして、被覆電線が一対の押さえ片間を通過した後は、一対の押さえ片は、一対の押さえ片の弾性復元力によって、もとの配置に戻る。
【先行技術文献】
【特許文献】
【０００５】
【特許文献１】特開２００２−２６０８０３号公報（図１）
【発明の概要】
【発明が解決しようとする課題】
【０００６】
ここで、例えば、隣り合う２つの溝部のそれぞれに同時に被覆電線が挿入される場合を考える。この場合、２つの被覆電線は、対応する溝部にそれぞれ挿入される。この際、各被覆電線は、２つの溝部の間に位置する抜け止め突起を挟むように変位されつつ、溝部に挿入される。このため、２つの被覆電線に挟まれた抜け止め突起は、撓むことができない。したがって、抜け止め突起に設けられた押さえ片は、当該押さえ片自身の撓み変形によって、前記被覆電線からの力を逃がす必要がある。
【０００７】
しかしながら、押さえ片は、微小な突起であり、撓むことができる量に限界がある。このため、２つの被覆電線に挟まれた抜け止め突起における押さえ片は、被覆電線からの力を十分に逃がすことができず、折れて破損するおそれがある。押さえ片が破損すると、溝部に挿入された被覆電線は、押さえ片で押さえられない。このため、被覆電線が溝部から外れ易くなってしまう。押さえ片が破損するという課題は、特に、一辺が数ｍｍ程度の小型の圧接コネクタにおいて生じ易い。これは、押さえ片が小型であるために、押さえ片自身の可撓性を十分に確保し難いことに起因する。
【０００８】
特許文献１は、このような不具合を防ぐために、複数の被覆電線が同時に溝部に挿入される際には、互いに離れた位置の溝部に被覆電線を挿入する方法を開示している。これにより、被覆電線が溝部に挿入される際、押さえ片に加え、抜け止め突起も撓むことにより、押さえ片に作用する負荷が低減される。
【０００９】
しかしながら、このような構成であっても、例えば、被覆電線を溝部に挿入する手順を間違えた場合等には、２つの被覆電線が隣接する溝部に同時に挿入され、その結果、押さえ片が破損するおそれがある。
【００１０】
特に、近年の圧接コネクタは、小型化の要請が強まっており、押さえ片が撓むことのできる量が小さいことがある。このため、押さえ片に作用する力を逃がし難く、押さえ片が破損し易い傾向が強い。
【００１１】
本発明は、上記実情に鑑みることにより、複数の被覆電線が取り付けられる圧接コネクタ及びこれに用いられるハウジングにおいて、破損が生じることをより確実に抑制できるようにすることを目的とする。
【課題を解決するための手段】
【００１２】
（１）上記課題を解決するために、この発明のある局面に係わる圧接コネクタは、芯線部を被覆部で被覆した構成をそれぞれ有する複数の被覆電線に接続される圧接コネクタであって、複数の前記被覆電線のそれぞれに対応して設けられ、前記被覆部を切断し前記芯線部に接触するための複数のコンタクトと、複数の前記コンタクトを保持するハウジングと、を備え、前記ハウジングは、複数の前記被覆電線のそれぞれに対応して設けられ対応する前記被覆電線を保持するための複数の電線保持部を有し、複数の前記電線保持部は、複数の前記被覆電線が配列される所定の配列方向に並んで配置されており、各前記電線保持部は、前記被覆電線を受け容れる電線保持溝を形成するように対向配置された一対の電線保持片を有し、前記ハウジングは、前記配列方向に隣接する２つの前記電線保持部において前記配列方向に隣接する２つの所定の前記電線保持片間に配置された、剛性低減部を有している。
【００１３】
この構成によると、２つの所定の電線保持片は、互いに向かい合う方向に沿う荷重を受けた場合に、剛性低減部に向けて変位することができる。これにより、配列方向に隣接する２つの電線保持溝に同時に被覆電線が挿入された場合に、２つの所定の電線保持片は、被覆電線からの荷重を受けて、剛性低減部に向けて変位することができる。このため、各電線保持部に過大な負荷が作用することを抑制できる。したがって、複数の被覆電線が取り付けられる圧接コネクタにおいて、破損が生じることをより確実に抑制できる。
【００１４】
（２）好ましくは、各前記電線保持部は、前記電線保持片から前記電線保持溝に向けて突出する突起部を有している。
【００１５】
この構成によると、突起部は、溝部に挿入された被覆電線を受けることで、被覆電線が電線保持溝から抜けることを抑制できる。また、被覆電線が電線保持溝に挿入される際、被覆電線は、突起部を押しのけるように突起部と接触することとなる。この際、被覆電線から突起部に作用する荷重は、電線保持片に伝わり、その結果、電線保持片が剛性低減部へ向けて変位する。これにより、被覆電線から突起部へ作用する荷重が逃がされ、突起部が破損することを抑制できる。したがって、突起部の破損に起因して被覆電線が電線保持溝から外れることを、抑制できる。
【００１６】
（３）より好ましくは、前記突起部と前記剛性低減部とは、前記配列方向に並んで配置されている。
【００１７】
この構成によると、被覆電線から突起部が受けた荷重によって、電線保持片が変位し易い。これにより、被覆電線から突起部へ作用する荷重を逃がす効果が、より強く発揮される。
【００１８】
（４）好ましくは、前記剛性低減部は、２つの所定の前記電線保持片間に形成された空間形成部を有している。
【００１９】
この構成によると、２つの所定の電線保持片間に空間を形成するという簡易な構成で、剛性低減部を実現できる。
【００２０】
（５）より好ましくは、前記電線保持溝は、前記被覆電線が挿入される方向としての所定の挿入方向と反対の反対方向に開放されており、且つ、前記挿入方向に沿って変位される前記被覆電線を受け容れることが可能に構成されており、前記空間形成部によって形成された空間は、前記反対方向に向けて開放されている。
【００２１】
この構成によると、２つの所定の電線保持片間にスリットを形成するという簡易な構成で、剛性低減部を実現できる。また、剛性低減部は、反対方向に向けて開放されている。これにより、２つの所定の電線保持片は、より撓み易くなる。その結果、ハウジングの破損を、より確実に抑制できる。
【００２２】
（６）好ましくは、前記剛性低減部は、前記ハウジングの母材の弾力性よりも高い弾力性を有する材料を用いて形成されている。
【００２３】
この構成によると、剛性低減部は、２つの所定の電線保持片の間の領域の少なくとも一部を埋めることとなる。これにより、埃等の異物がハウジングの外部からハウジングの内部に侵入することを、より確実に抑制できる。
【００２４】
（７）好ましくは、前記配列方向と直交し且つ前記電線保持溝が延びる方向と平行な方向において、前記電線保持溝の長さは前記剛性低減部の長さよりも大きく設定されている。
【００２５】
この構成によると、２つの所定の電線保持片の撓み量が過度に大きくなることを抑制できる。
【００２６】
（８）好ましくは、前記ハウジングは、前記配列方向に隣接する２つの前記コンタクトの間に配置された仕切部と、前記仕切部に隣接する前記電線保持片と前記仕切部との間に形成された第２の剛性低減部と、を有している。
【００２７】
この構成によると、仕切部が設けられていることにより、配列方向に沿って並ぶコンタクト同士が接触することを抑制できる。また、仕切部に隣接する電線保持片と仕切部との間に第２の剛性低減部が形成されている。これにより、電線保持片の可撓性を、より大きくできる。よって、電線保持溝に被覆電線が挿入される際に電線保持部に過度に大きい力が作用することを、抑制できる。
【００２８】
（９）好ましくは、複数の前記電線保持部は、前記配列方向における複数の前記電線保持部の端部に配置された端部電線保持片を有し、前記ハウジングは、前記端部電線保持片に隣接して配置された壁部と、前記端部電線保持片及び前記壁部の間に配置された第３の剛性低減部と、を有している。
【００２９】
この構成によると、端部電線保持片と壁部との間に第３の剛性低減部が形成されている。これにより、端部電線保持片の可撓性を、十分に確保できる。よって、端部電線保持片を用いて形成された電線保持溝に被覆電線が挿入される際に、端部電線保持片に過度に大きい力が作用することを、抑制できる。
【００３０】
（１０）より好ましくは、前記ハウジングは、前記端部電線保持片に隣接して配置されたストッパ部を有し、前記ストッパ部は、前記配列方向における前記端部電線保持片の変形量を規制するように構成されている。
【００３１】
この構成によると、例えば、圧接コネクタの運搬時に端部電線保持片に異物が接触した場合等、当該端部電線保持片に大きな力が作用した場合に、当該電線保持片の過度な変位は、ストッパ部によって規制される。よって、電線保持片に塑性変形、破損等が生じることを抑制できる。
【００３２】
（１１）上記課題を解決するために、この発明のある局面に係わるハウジングは、芯線部を被覆部で被覆した構成をそれぞれ有する複数の被覆電線の前記被覆部を切断することで前記被覆部から露呈する前記芯線部と接触する圧接コネクタに用いられる、ハウジングであって、複数の前記被覆電線のそれぞれに対応して設けられ対応する前記被覆電線を保持するための複数の電線保持部を有する。複数の前記電線保持部は、複数の前記被覆電線が配列される所定の配列方向に並んで配置されており、各前記電線保持部は、前記被覆電線を受け容れる電線保持溝を形成するように対向配置された一対の電線保持片を有し、前記ハウジングは、前記配列方向に隣接する２つの前記電線保持部において前記配列方向に隣接する２つの所定の前記電線保持片間に配置された、剛性低減部を有している。
【００３３】
この構成によると、２つの所定の電線保持片は、互いに向かい合う方向に沿う荷重を受けた場合に、剛性低減部に向けて変位することができる。これにより、配列方向に隣接する２つの電線保持溝に同時に被覆電線が挿入された場合に、２つの所定の電線保持片は、被覆電線からの荷重を受けて、剛性低減部に向けて変位することができる。このため、各電線保持部に過大な負荷が作用することを抑制できる。したがって、複数の被覆電線が取り付けられる圧接コネクタにおいて、破損が生じることをより確実に抑制できる。
【発明の効果】
【００３４】
本発明によると、複数の被覆電線が取り付けられる圧接コネクタにおいて、破損が生じることをより確実に抑制できる。
【図面の簡単な説明】
【００３５】
【図１】本発明の実施形態に係る圧接コネクタが、複数の相手側コンタクトと対応する被覆電線を電気的に接続している状態を示す、斜視図である。
【図２】圧接コネクタ、各相手側コンタクト及び各被覆電線が互いに分離している状態を示す、斜視図である。
【図３】圧接コネクタの平面図であり、圧接コネクタに各被覆電線及び各相手側コンタクトが接続された状態を示している。
【図４】圧接コンタクトの斜視図である。
【図５】圧接コンタクトの斜視図であり、一方の被覆電線及び一方の相手側コンタクトを併せて示している。
【図６】圧接コネクタの単体の斜視図であり、圧接コネクタを挿入方向の上流側から見た状態を示している。
【図７】圧接コネクタの単体の斜視図であり、圧接コネクタを挿入方向の下流側から見た状態を示している。
【図８】圧接コネクタの単体の側面図である。
【図９】圧接コネクタの主要部を電線保持部側から見た斜視図である。
【図１０】圧接コネクタの主要部の平面図である。
【図１１】被覆電線及び相手側コンタクトが接続される前の状態の圧接コネクタを示す側面図である。
【図１２】被覆電線が電線保持部に挿入される途中の状態を示す側面図であり、一部を断面で示している。
【図１３】被覆電線が電線保持部に挿入され終わった状態を示す側面図であり、一部を断面で示している。
【図１４】圧接コネクタに被覆電線が接続された状態を示す、主要部の平面図である。
【図１５】圧接コネクタに被覆電線及び相手側コンタクトが接続された状態を示す、主要部の平面図である。
【図１６】本発明の第１変形例に係る圧接コネクタの斜視図であり、圧接コネクタを電線保持体側から見た状態を示している。
【図１７】本発明の第１変形例に係る圧接コネクタの主要部の斜視図であり、圧接コネクタをコンタクト保持部側から見た状態を示している。
【図１８】本発明の第２変形例に係る圧接コネクタの斜視図であり、圧接コネクタを電線保持体側から見た状態を示している。
【図１９】本発明の第２変形例に係る圧接コネクタの側面図である。
【図２０】本発明の他の変形例に係るハウジングの側面図である。
【発明を実施するための形態】
【００３６】
以下、本発明を実施するための形態について図面を参照しつつ説明する。尚、本発明は、圧接コネクタとして、種々の用途に広く適用することができる。
【００３７】
［圧接コネクタの構成］
図１は、本発明の実施形態に係る圧接コネクタ１が、複数の相手側コンタクト１０２ａ，１０２ｂと対応する被覆電線１０１ａ，１０１ｂとを電気的に接続している状態を示す、斜視図である。図２は、圧接コネクタ１、各相手側コンタクト１０２ａ，１０２ｂ及び各被覆電線１０１ａ，１０１ｂが互いに分離している状態を示す、斜視図である。
【００３８】
図１及び図２を参照して、圧接コネクタ１は、例えば、携帯型の小型の電子機器に備えられる。このような電子機器として、デジタルスチルカメラ、ビデオカメラ、携帯電話機、スマートフォン、ＰＤＡ（パーソナル・ディジタル・アシスタント）を例示することができる。本実施形態において、圧接コネクタ１の大きさは、縦・横・厚みのそれぞれの一辺が最大で２〜３ｍｍ程度である。このように、圧接コネクタ１は、極めて小型である。また、圧接コネクタ１は、圧接型の電気コネクタであり、各被覆電線１０１ａ，１０１ｂの被覆部１０３を切断することで、各被覆部１０３の内部の芯線部１０４と接触することが可能である。
【００３９】
圧接コネクタ１は、各被覆電線１０１ａ，１０１ｂの芯線部１０４（第１導電部材）と、対応する相手側コンタクト（第２導電部材）１０２ａ，１０２ｂとを電気的に接続するために設けられている。
【００４０】
各相手側コンタクト１０２ａ，１０２ｂは、金属等の導電材料を用いて形成されている。本実施形態では、各相手側コンタクト１０２ａ，１０２ｂは、薄板状に形成されている。また、各相手側コンタクト１０２ａ，１０２ｂは、少なくとも一方が予め露出されており、本実施形態では、全部が予め露出されている。各相手側コンタクト１０２ａ，１０２ｂは、例えば、図示しない回路基板に半田を用いて固定されており、当該回路基板と電気的に接続されている。各被覆電線１０１ａ，１０１ｂは、例えば、バッテリー等の電気機器と電気的に接続されている。
【００４１】
図３は、圧接コネクタ１の平面図であり、圧接コネクタ１に各被覆電線１０１ａ，１０１ｂ及び各相手側コンタクト１０２ａ，１０２ｂが接続された状態を示している。図３を参照して、各被覆電線１０１ａ，１０１ｂは、被覆部１０３と、芯線部１０４と、を有している。
【００４２】
被覆部１０３は、合成樹脂等の絶縁性の材料を用いて形成された、筒状の部材である。被覆部１０３は、芯線部１０４を、芯線部１０４の周方向の全域に亘って覆っている。
【００４３】
芯線部１０４は、金属等の導電材料を用いて形成されている。芯線部１０４の一端部は、圧接コネクタ１の対応する圧接コンタクト２ａ，２ｂ（後述）に接触している。
【００４４】
圧接コネクタ１は、全体として、扁平なブロック状に形成されている。尚、以下では、圧接コネクタ１の長さ方向を、長さ方向Ｘ１という。また、圧接コネクタ１の平面視において、長さ方向Ｘ１と直交する方向を、幅方向Ｙ１という。また、長さ方向Ｘ１及び幅方向Ｙ１の双方と直交する方向を、厚み方向Ｚ１という。
【００４５】
圧接コネクタ１に各被覆電線１０１ａ，１０１ｂ及び各相手側コンタクト１０２ａ，１０２ｂが装着されている状態において、各被覆電線１０１ａ，１０１ｂの一端部は、長さ方向Ｘ１と平行に配置され、各相手側コンタクト１０２ａ，１０２ｂも、長さ方向Ｘ１と平行に配置される。
【００４６】
図１〜図３を参照して、圧接コネクタ１は、複数の圧接コンタクト２ａ，２ｂと、圧接コンタクト２ａ，２ｂを保持するハウジング３と、を有している。
【００４７】
圧接コンタクト２ａ，２ｂは、複数の被覆電線１０１ａ，１０１ｂのそれぞれに対応して設けられており、対応する被覆電線１０１ａ，１０１ｂの被覆部１０３を切断し、被覆部１０３から露呈する芯線部１０４に接触することが可能である。圧接コンタクト２ａ，２ｂは、対応する被覆電線１０１ａ，１０１ｂの芯線部１０４、及び対応する相手側コンタクト１０２ａ，１０２ｂと直接接触する。これにより、各被覆電線１０１ａ，１０１ｂの芯線部１０４は、対応する相手側コンタクト１０２ａ，１０２ｂと、電気的に接続される。
【００４８】
本実施形態において、２つの圧接コンタクト２ａ，２ｂは、互いに同様の形状を有している。よって、以下では、主に一方の圧接コンタクト２ａに関する構成を説明する。
【００４９】
図４及び図５は、それぞれ、圧接コンタクト２ａの斜視図であり、図５では一方の被覆電線１０１ａ及び一方の相手側コンタクト１０２ａを併せて示している。
【００５０】
図３〜図５を参照して、圧接コンタクト２ａは、導電性を有する材料を用いて形成されている。より具体的には、圧接コンタクト２ａは、例えば、銅合金を素材として構成されている。そして、圧接コンタクト２ａの表面には、例えば、すずめっき又は金めっき等のめっき処理が施されている。
【００５１】
圧接コンタクト２ａは、圧接コンタクトとしての機能と、接点コンタクトとしての機能と、を有している。尚、本実施形態では、「圧接」とは、被覆電線１０１ａの被覆部１０３を切断することで露呈した芯線部１０４に、圧接コンタクト２ａが接触することをいう。圧接コンタクト２ａは、相手側コンタクト１０２ａの芯線部１０４及び相手側コンタクト１０２ａの双方と直接接触する。
【００５２】
本実施形態において、圧接コンタクト２ａは、上記導電性を有する１枚の平板部材を打ち抜き加工及び曲げ加工することで、形成されている。即ち、圧接コンタクト２ａの全体が、単一の材料を用いて一体に形成されている。本実施形態において、圧接コンタクト２ａは、鞍状に形成されている。また、本実施形態において、圧接コンタクト２ａは、幅方向Ｙ１に対称な形状に形成されている。
【００５３】
圧接コンタクト２ａには、所定の挿入方向Ｄ１に沿って変位する、被覆電線１０１ａの芯線部１０４が挿入される。また、圧接コンタクト２ａには、挿入方向Ｄ１に沿って変位する相手側コンタクト１０２ａが挿入される。本実施形態では、挿入方向Ｄ１は、厚み方向Ｚ１と平行である。
【００５４】
圧接コンタクト２ａは、圧接部４と、第１連結部５と、接点部６と、第２連結部７と、電線保持部８と、を有している。電線保持部８、第２連結部７、圧接部４、第１連結部５、及び接点部６は、長さ方向Ｘ１において、この順に並んでいる。
【００５５】
圧接部４は、被覆電線１０１ａの被覆部１０４を切断し、且つ、被覆電線１０１ａの芯線部１０４と接触するために設けられている。圧接部４は、長さ方向Ｘ１から見て、Ｕ字状に形成されている。圧接部４は、挿入方向Ｄ１と反対の反対方向Ｄ２に開放された第１スロット１０を形成しており、挿入方向Ｄ１に沿って変位する被覆電線１０１ａと接触可能である。第１スロット１０は、被覆電線１０１ａを受け容れる。圧接部４は、長さ方向Ｘ１と直交するように延びている。
【００５６】
幅方向Ｙ１における圧接部４の両端部には、第１固定部１６ａ，１６ｂが形成されている。第１固定部１６ａ，１６ｂは、突起状の部分であり、ハウジング３のコンタクト保持部４４ａ（詳細は後述）に圧入固定される。
【００５７】
厚み方向Ｚ１における第１スロット１０の中間部は、一対の圧接刃１４ａ，１４ｂを有している。圧接刃１４ａ，１４ｂは、被覆電線１０１ａの被覆部１０３を切断するために設けられている。圧接刃１４ａ，１４ｂは、互いに近づく方向に向けて突出する小片状に形成されており、芯線部１０４が挿入される空間へ向けて突出している。圧接刃１４ａ，１４ｂは、被覆部１０３を切断し、芯線部１０４を露呈させる。露呈された芯線部１０４は、圧接部４と接触する。圧接部４から長さ方向Ｘ１の一方に向けて、第１連結部５が延びている。
【００５８】
第１連結部５は、圧接部４及び接点部６を一体に連結するために設けられている。第１連結部５は、一対のアーム部１７ａ，１７ｂを有している。
【００５９】
一対のアーム部１７ａ，１７ｂは、圧接コンタクト２ａにおける梁部として設けられており、長さ方向Ｘ１に沿って延びている。一対のアーム部１７ａ，１７ｂは、幅方向Ｙ１における圧接部４の両端部と、幅方向Ｙ１における接点部６の両端部とを繋いでいる。
【００６０】
接点部６は、長さ方向Ｘ１から見て、Ｕ字状に形成されている。接点部６は、挿入方向Ｄ１と反対の反対方向Ｄ２に開放された第２スロット２０を形成している。第２スロット２０は、第１スロット１０と長さ方向Ｘ１に並んでいる。第２スロット２０は、相手側コンタクト１０２ａを受け容れる。
【００６１】
接点部６は、相手側コンタクト１０２ａを挟むことで当該相手側コンタクト１０２ａに接触するように構成されている。接点部６は、平板状の部分であり、長さ方向Ｘ１と直交するように延びている。挿入方向Ｄ１における接点部６の下流側端部は、幅方向Ｙ１に延びている。この下流側端部は、幅方向Ｙ１における両端部において、第２固定部２６ａ，２６ｂを有している。第２固定部２６ａ，２６ｂは、ハウジング３のコンタクト保持部４４ａに圧入固定される。
【００６２】
挿入方向Ｄ１における接点部６の中間部は、一対の接点凸部２４ａ，２４ｂを有している。接点凸部２４ａ，２４ｂは、第２スロット２０に向けて突出する小片状に形成されており、互いに近づく方向に向けて突出している。第２スロット２０に相手側コンタクト１０２ａが挿入されている状態において、一対の接点凸部２４ａ，２４ｂは、相手側コンタクト１０２ａを弾性的に挟む。
【００６３】
圧接コンタクト２ａの電線保持部８は、被覆電線１０１ａが圧接コンタクト２ａから抜けることを抑制するために設けられている。電線保持部８は、芯線部１０４と圧接部４との接触状態を維持するために、被覆電線１０１ａを保持する。これにより、芯線部１０４が圧接部４から反対方向Ｄ２に抜けることを、抑制できる。電線保持部８は、圧接部４に隣接して配置されている。
【００６４】
電線保持部８は、長さ方向Ｘ１から見てＵ字状に形成されており、反対方向Ｄ２に開放された第３スロット３０を形成している。幅方向Ｙ１における第３スロット３０の幅は、例えば、被覆電線１０１ａの被覆部１０３の直径よりは小さく、且つ、芯線部１０４の直径よりは大きく設定されている。このような構成により、電線保持部８は、被覆電線１０１ａの被覆部１０３を所定の保持力で挟むことができる。挿入方向Ｄ１における電線保持部８の下流側端部には、第３固定部３１ａ，３１ｂが形成されている。
【００６５】
第３固定部３１ａ，３１ｂは、幅方向Ｙ１における電線保持部８の両端部に形成された突起状の部分であり、ハウジング３のコンタクト保持部４４ａに圧入固定される。挿入方向Ｄ１における電線保持部８の下流側端部は、第２連結部７を介して、圧接部４に連結されている。
【００６６】
第２連結部７は、圧接部４と電線保持部８とを一体に連結するために設けられている。本実施形態では、第２連結部７は、側面視において、Ｕ字状に形成されており、挿入方向Ｄ１に向かって突出した形状を有している。上記の構成を有する圧接コンタクト２ａはハウジング３に保持されている。
【００６７】
図６は、圧接コネクタ１の単体の斜視図であり、圧接コネクタ１を挿入方向Ｄ１の上流側から見た状態を示している。図７は、圧接コネクタ１の単体の斜視図であり、圧接コネクタ１を挿入方向Ｄ１の下流側から見た状態を示している。図８は、圧接コネクタ１の単体の側面図である。
【００６８】
図３、及び図６〜図８参照して、ハウジング３は、合成樹脂等の絶縁材料を用いて形成されている。ハウジング３は、射出成形等によって形成された、単一の部材である。本実施形態では、ハウジング３は、２つの圧接コンタクト２ａ，２ｂを保持している。
【００６９】
ハウジング３は、扁平なブロック状に形成されており、且つ、平面視（厚み方向Ｚ１から見た状態）において、略矩形に形成されている。また、ハウジング３は、幅方向Ｙ１に対称な形状に形成されている。
【００７０】
ハウジング３は、外周壁４１と、仕切壁（仕切部）４２と、底壁４３と、コンタクト保持部４４ａ，４４ｂと、電線保持部６００，７００と、を有している。
【００７１】
外周壁４１は、複数の圧接コンタクト２ａ，２ｂを取り囲む壁部として設けられている。外周壁４１は、平面視において、略矩形状に形成されている。外周壁４１は、第１壁部４６と、第２壁部４７と、第３壁部４８と、第４壁部４９と、を有している。
【００７２】
第１壁部４６及び第２壁部４７は、幅方向Ｙ１に延びる部分として設けられている。第１壁部４６及び第２壁部４７は、長さ方向Ｘ１に離隔して配置されている。幅方向Ｙ１における第１壁部４６の一端部及び第２壁部４７の一端部は、第３壁部４８と連続している。また、幅方向Ｙ１における第１壁部４６の他端部及び第２壁部４７の他端部は、第４壁部４９と連続している。
【００７３】
第３壁部４８及び第４壁部４９は、長さ方向Ｘ１に延びる部分として設けられている。第３壁部４８及び第４壁部４９は、幅方向Ｙ１に離隔して配置されている。第３壁部４８及び第４壁部４９と平行に延びるようにして、仕切壁４２が配置されている。
【００７４】
仕切壁４２は、ハウジング３内において、幅方向Ｙ１に隣接する圧接コンタクト２ａ，２ｂの間に配置される仕切部として設けられている。仕切壁４２の数は、圧接コネクタ１における圧接コンタクト２ａ，２ｂの数から１を減じた値である。即ち、本実施形態では、２つの圧接コンタクト２ａ，２ｂが設けられており、仕切壁４２の数は１である。
【００７５】
本実施形態では、長さ方向Ｘ１における仕切壁４２の一端部は、第１壁部４６と離隔して配置されている。また、長さ方向Ｘ１における仕切壁４２の他端部は、第２壁部４７に連続している。仕切壁４２は、所定の配列方向Ｅ１に隣接する圧接コンタクト２ａ，２ｂの間に配置されている。
【００７６】
仕切壁４２と第３壁部４８との間に、一方の圧接コンタクト２ａが配置されている。仕切壁４２と第４壁部４９との間に、他方の圧接コンタクト２ｂが配置されている。上記仕切壁４２、及び外周壁４１から挿入方向Ｄ１の下流側に進んだ位置に、底壁４３が配置されている。底壁４３は、挿入方向Ｄ１における外周壁４１の下流側の開口を部分的に塞ぐように配置されている。
【００７７】
底壁４３、外周壁４１及び仕切壁４２によって、複数のコンタクト保持部４４ａ，４４ｂが形成されている。コンタクト保持部４４ａ，４４ｂは、圧接コンタクト２ａ，２ｂを保持するために設けられている。コンタクト保持部４４ａ，４４ｂは、対応する圧接コンタクト２ａ，２ｂを保持している。コンタクト保持部４４ａ，４４ｂは、幅方向Ｙ１に並んでいる。
【００７８】
一方のコンタクト保持部４４ａは、第１〜第３壁部４６〜４８、仕切壁４２及び底壁４３を用いて形成されており、一方の圧接コンタクト２ａを取り囲んでいる。他方のコンタクト保持部４４ｂは、第１壁部４６、第２壁部４７、第４壁部４９、仕切壁４２及び底壁４３を用いて形成されており、他方の圧接コンタクト２ｂを取り囲んでいる。
【００７９】
図３及び図６を参照して、一方のコンタクト保持部４４ａは、一方の圧接コンタクト２ａを圧入固定により保持している。具体的には、圧接コンタクト２ａの第１固定部１６ａ，１６ｂ、第２固定部２６ａ，２６ｂ、及び第３固定部３１ａ，３１ｂは、第３壁部４８の内側面及び仕切壁４２の一側面に圧入固定されている。
【００８０】
また、一方のコンタクト保持部４４ａは、相手側コンタクト１０２ａが挿入されるスリット５２ａを有している。スリット５２ａは、ハウジング３の第２壁部４７に形成されており、ハウジング３を長さ方向Ｘ１に貫通している。スリット５２ａは、接点部６の第２スロット２０と長さ方向Ｘ１に並んでいる。
【００８１】
また、ハウジング３は、当該ハウジング３の底壁４３から延びるストッパ部５３ａを有している。ストッパ部５３ａは、一方の圧接コンタクト２ａの第２スロット２０に隣接して配置された、壁状の部分である。第２スロット２０に挿入された相手側コンタクト１０２ａは、ストッパ部５３ａに受けられることにより、それ以上のコンタクト保持部４４ａ内への進入を規制される。これにより、相手側コンタクト１０２ａと被覆電線１０１ａとが接触することを抑制できる。
【００８２】
次に、他方のコンタクト保持部４４ｂについて説明する。他方のコンタクト保持部４４ｂは、一方のコンタクト保持部４４ａと同様の構成を有している。
【００８３】
他方のコンタクト保持部４４ｂは、他方の圧接コンタクト２ｂを圧入固定により保持している。具体的には、圧接コンタクト２ｂの第１固定部１６ａ，１６ａ、第２固定部２６ａ，２６ｂ、及び第３固定部３１ａ，３１ｂは、仕切壁４２の他側面及び第４壁部４９の内側面に圧入固定されている。
【００８４】
また、他方のコンタクト保持部４４ｂは、相手側コンタクト１０２ｂが挿入されるスリット５２ｂを有している。スリット５２ｂは、ハウジング３の第２壁部４７に形成されており、ハウジング３を長さ方向Ｘ１に貫通している。スリット５２ｂは、他方の圧接コンタクト２ｂの接点部６の第２スロット２０と長さ方向Ｘ１に並んでいる。
【００８５】
また、ハウジング３は、当該ハウジング３の底壁４３から延びるストッパ部５３ｂを有している。ストッパ部５３ｂは、他方の圧接コンタクト２ｂの第２スロット２０に隣接して配置された、壁状の部分である。第２スロット２０に挿入された相手側コンタクト１０２ｂは、ストッパ５３ｂに受けられることにより、それ以上のコンタクト保持部４４ｂ内への進入を規制される。これにより、相手側コンタクト１０２ｂと被覆電線１０１ｂとが接触することを抑制できる。
【００８６】
上記の構成を有するコンタクト保持部４４ａ，４４ｂに隣接するように、電線保持体５０が形成されている。
【００８７】
図９は、圧接コネクタ１の主要部を電線保持体５０側から見た斜視図である。図１０は、圧接コネクタ１の主要部の平面図である。図８〜図１０を参照して、電線保持体５０は、複数の被覆電線１０１ａ，１０１ｂを保持するために設けられている。本実施形態において、電線保持体５０は、第１壁部４６の一部を構成しており、コンタクト保持部４４ａ，４４ｂと長さ方向Ｘ１に並んでいる。本実施形態では、電線保持体５０について、長さ方向Ｘ１と直交する断面形状は、一様である。
【００８８】
電線保持体５０は、複数の電線保持部６００，７００を有している。
【００８９】
電線保持部６００，７００は、対応する被覆電線１０１ａ，１０１ｂを保持するように構成されている。即ち、電線保持部６００，７００は、複数の被覆電線１０１ａ，１０１ｂのそれぞれに対応して設けられており、対応する被覆電線１０１ａ，１０１ｂを保持するように構成されている。電線保持部６００，７００の数は、被覆電線１０１ａ，１０１ｂの数と同じである。これら複数の電線保持部６００，７００は、被覆電線１０１ａ，１０１ｂが配列される方向としての所定の配列方向Ｅ１に並んで配置されている。本実施形態では、配列方向Ｅ１は、幅方向Ｙ１でもある。
【００９０】
本実施形態では、電線保持部６００，７００は、配列方向Ｅ１に対称な形状に形成されている。電線保持部６００，７００は、挿入方向Ｄ１に沿って変位された対応する被覆電線１０１ａ，１０１ｂの一端部を、受け容れる。
【００９１】
電線保持部６００は、長さ方向Ｘ１から見て、略Ｕ字状に形成されている。電線保持部６００は、配列方向Ｅ１における電線保持体５０の一端部を含んでいる。電線保持部６００は、一方のコンタクト保持部４４ａと長さ方向Ｘ１に並んでいる。これにより、一方の圧接コンタクト２ａに接続された被覆電線１０１ａの一端部は、真っ直ぐに配置された状態で、電線保持部６００に保持される。
【００９２】
電線保持部６００は、ベース部６０１と、一対の本体としての第１本体６０２及び第２本体６０３と、電線保持溝６０４とを有している。第１本体６０２及び第２本体６０３は、協働して被覆電線１０１ａを保持するために設けられている。
【００９３】
ベース部６０１は、電線保持部６００における土台部分として設けられている。ベース部６０１は、幅方向Ｙ１に延びる部分であり、ハウジング３の底壁４３と連続している。ベース部６０１から、第１本体６０２及び第２本体６０３が延びている。
【００９４】
第１本体６０２は、配列方向Ｅ１における電線保持体５０の一端部に配置されている。本実施形態では、第１本体６０２は、ハウジング３の第３壁部４８に隣接して配置されている。第２本体６０３は、ハウジング３の仕切壁４２に隣接して配置されている。第１本体６０２及び第２本体６０３は、それぞれ、長さ方向Ｘ１から見て鉤状に形成されている。
【００９５】
第１本体６０２は、第１電線保持片６０５と、第１電線保持片６０５から突出する第１押さえ片６０６と、を有している。同様に、第２本体６０３は、第２電線保持片６０７と、第２電線保持片６０７から突出する第２押さえ片６０８と、を有している。
【００９６】
第１電線保持片６０５及び第２電線保持片６０７は、本発明の「一対の電線保持片」の一例である。第１電線保持片６０５及び第２電線保持片６０７は、被覆電線１０１ａを受け容れる電線保持溝６０４を形成するように対向配置されている。第１電線保持片６０５及び第２電線保持片６０７は、それぞれ、反対方向Ｄ２へ向けて延びる柱状に形成されている。本実施形態では、第１電線保持片６０５は、反対方向Ｄ２へ向かうに従い、第２電線保持片６０７に近づくように傾斜している。また、第２電線保持片６０７は、反対方向Ｄ２と平行に延びている。長さ方向Ｘ１から見て、本実施形態では、第２電線保持片６０７の幅は、第１電線保持片６０５の幅よりも小さく設定されている。このような構成により、第２電線保持片６０７の剛性は、第１電線保持片６０５の剛性よりも小さく設定されている。即ち、第２電線保持片６０７は、十分な可撓性を有している。
【００９７】
第１電線保持片６０５の先端部寄りの位置に、第１電線押さえ片６０６が形成されている。同様に、第２電線保持片６０７の先端部寄りの位置に、第２電線押さえ片６０８が形成されている。
【００９８】
第１電線押さえ片６０６及び第２電線押さえ片６０８は、協働して、被覆電線１０１ａが電線保持溝６０４から抜けることを抑制するために設けられている。第１電線押さえ片６０６及び第２電線押さえ片６０８は、本発明の「突起部」の一例である。
【００９９】
第１電線押さえ片６０６及び第２電線押さえ片６０８は、それぞれ、対応する電線保持片６０５，６０７から電線保持溝６０４に向けて突出する突起状に形成されており、対応する被覆電線１０１ａを受けることが可能である。このように、第１電線押さえ片６０６及び第２電線押さえ片６０８は、それぞれ、対応する電線保持片６０５，６０７から幅方向Ｙ１に向かって突出している。本実施形態では、第１電線押さえ片６０６及び第２電線押さえ片６０８は、それぞれ、長さ方向Ｘ１から見て、三角形形状に形成されている。また、長さ方向Ｘ１から見て、第１電線押さえ片６０６の大きさと、第２電線押さえ片６０８の大きさは、ほぼ同じに設定されている。
【０１００】
電線押さえ片６０６，６０８に、配列方向Ｅ１と平行な方向に被覆電線１０１ａから荷重が作用したときにおいて、電線押さえ片６０６，６０８の撓み量は、電線保持片６０５，６０７の撓み量よりも小さくなるように、電線押さえ片６０６，６０８の剛性が設定されている。
【０１０１】
第１電線押さえ片６０６は、第１案内傾斜面６０９と、第１電線規制面６１０とを有している。同様に、第２電線押さえ片６０８は、第２案内傾斜面６１１と、第２電線規制面６１２とを有している。
【０１０２】
第１案内傾斜面６０９及び第２案内傾斜面６１１は、挿入方向Ｄ１に沿って変位される被覆電線１０１ａからの力を、電線保持溝６０４の溝幅を拡げる力に変換するための運動変換部として設けられている。
【０１０３】
第１案内傾斜面６０９及び第２案内傾斜面６１１は、挿入方向Ｄ１における電線保持部６００の上流側端部から挿入方向Ｄ１に向けて延びるように配置されている。第１案内傾斜面６０９及び第２案内傾斜面６１１は、反対方向Ｄ２側を向くように配置されている。第１案内傾斜面６０９及び第２案内傾斜面６１１は、挿入方向Ｄ１に対して傾斜する形状に形成されており、挿入方向Ｄ１に進むに従い、互いの間隔が狭くなっている。本実施形態では、第１案内傾斜面６０９及び第２案内傾斜面６１１は、それぞれ、平坦な形状に形成されている。
【０１０４】
第１案内傾斜面６０９から挿入方向Ｄ１に進んだ位置に、第１電線規制面６１０が形成されている。同様に、第２案内傾斜面６１１から挿入方向Ｄ１に進んだ位置に、第２電線規制面６１２が形成されている。
【０１０５】
第１電線規制面６１０及び第２電線規制面６１２は、協働して、電線保持溝６０４に挿入された被覆電線１０１ａが電線保持溝６０４から抜けることを抑制するように構成されている。
【０１０６】
第１電線規制面６１０及び第２電線規制面６１２は、挿入方向Ｄ１側を向くように配置されている。第１電線規制面６１０及び第２電線規制面６１２は、挿入方向Ｄ１と交差する方向に延びており、本実施形態では、挿入方向Ｄ１と直交する平坦面によって形成されている。尚、第１電線規制面６１０及び第２電線規制面６１２は、挿入方向Ｄ１と直交していなくてもよく、挿入方向Ｄ１に対して傾斜する面であってもよい。上記の構成により、電線保持溝６０４に挿入された被覆電線１０１ａは、電線保持溝６０４に挟まれ、且つ、電線規制面６１０，６１２によって、電線保持溝６０４から抜けることを抑制されている。
【０１０７】
上記の構成を有する第１本体６０２及び第２本体６０３間に、電線保持溝６０４が形成されている。電線保持溝６０４は、被覆電線１０１ａを保持する溝部として設けられている。電線保持溝６０４は、第１本体６０２と、第２本体６０３と、ベース部６０１とを用いて形成されている。より具体的には、電線保持溝６０４は、第１本体６０２及び第２本体６０３の内側面によって、幅方向Ｙ１における両端部を構成され、且つ、ベース部６０１の内側面によって、底部を構成されている。
【０１０８】
本実施形態では、電線保持溝６０４は、長さ方向Ｘ１から見てＵ字状に形成されており、反対方向Ｄ２に開放されている。このような構成により、電線保持溝６０４は、挿入方向Ｄ１に沿って変位される被覆電線１０１ａを受け容れることが可能に構成されている。電線保持溝６０４の底部は、長さ方向Ｘ１から見て円弧状に形成されている。長さ方向Ｘ１から見て、電線保持溝６０４の溝幅は、被覆電線１０１ａの直径と略同じか、被覆電線１０１ａの直径よりもわずかに小さく設定されている。
【０１０９】
上記の構成を有する電線保持部６００と、電線保持部７００とは、配列方向Ｅ１に隣接して配置されている。
【０１１０】
電線保持部７００は、前述したように、被覆電線１０１ｂを保持するように構成されている。また、電線保持部６００，７００は、配列方向Ｅ１に対称な形状に形成されている。
【０１１１】
電線保持部７００は、長さ方向Ｘ１から見て、略Ｕ字状に形成されている。電線保持部７００は、配列方向Ｅ１における電線保持体５０の他端部を含んでいる。電線保持部７００は、コンタクト保持部４４ｂと長さ方向Ｘ１に並んでいる。これにより、他方の圧接コンタクト２ｂに接続された被覆電線１０１ｂの一端部は、真っ直ぐに配置された状態で、電線保持部７００に保持される。
【０１１２】
電線保持部７００は、ベース部７０１と、一対の本体としての第１本体７０２及び第２本体７０３と、電線保持溝７０４とを有している。第１本体７０２及び第２本体７０３は、協働して被覆電線１０１ｂを保持するために設けられている。
【０１１３】
ベース部７０１は、電線保持部７００における土台部分として設けられている。ベース部７０１は、幅方向Ｙ１に延びる部分であり、ハウジング３の底壁４３及びベース部６０１と連続している。ベース部７０１から、第１本体７０２及び第２本体７０３が延びている。
【０１１４】
第１本体７０２は、配列方向Ｅ１における電線保持体５０の他端部に配置されている。本実施形態では、第１本体７０２は、ハウジング３の第４壁部４９に隣接して配置されている。第２本体７０３は、ハウジング３の仕切壁４２に隣接して配置されている。第１本体７０２及び第２本体７０３は、それぞれ、長さ方向Ｘ１から見て鉤状に形成されている。
【０１１５】
第１本体７０２は、第１電線保持片７０５と、第１電線保持片７０５から突出する第１押さえ片７０６と、を有している。同様に、第２本体７０３は、第２電線保持片７０７と、第２電線保持片７０７から突出する第２押さえ片７０８と、を有している。
【０１１６】
第１電線保持片７０５及び第２電線保持片７０７は、本発明の「一対の電線保持片」の一例である。第１電線保持片７０５及び第２電線保持片７０７は、被覆電線１０１ｂを受け容れる電線保持溝７０４を形成するように対向配置されている。第１電線保持片７０５及び第２電線保持片７０７は、それぞれ、反対方向Ｄ２へ向けて延びる柱状に形成されている。本実施形態では、第１電線保持片７０５は、反対方向Ｄ２へ向かうに従い、第２電線保持片７０７に近づくように傾斜している。また、第２電線保持片７０７は、反対方向Ｄ２と平行に延びている。長さ方向Ｘ１から見て、本実施形態では、第２電線保持片７０７の幅は、第１電線保持片７０５の幅よりも小さく設定されている。このような構成により、第２電線保持片７０７の剛性は、第１電線保持片７０５の剛性よりも小さく設定されている。即ち、第２電線保持片７０７は、十分な可撓性を有している。
【０１１７】
第１電線保持片７０５の先端部寄りの位置に、第１電線押さえ片７０６が形成されている。同様に、第２電線保持片７０７の先端部寄りの位置に、第２電線押さえ片７０８が形成されている。
【０１１８】
第１電線押さえ片７０６及び第２電線押さえ片７０８は、協働して、被覆電線１０１ｂが電線保持溝７０４から抜けることを抑制するために設けられている。第１電線押さえ片７０６及び第２電線押さえ片７０８は、本発明の「突起部」の一例である。
【０１１９】
第１電線押さえ片７０６及び第２電線押さえ片７０８は、それぞれ、対応する電線保持片７０５，７０７から電線保持溝７０４に向けて突出する突起状に形成されており、対応する被覆電線１０１ｂを受けることが可能である。このように、第１電線押さえ片７０６及び第２電線押さえ片７０８は、それぞれ、対応する電線保持片７０５，７０７から幅方向Ｙ１に向かって突出している。本実施形態では、第１電線押さえ片７０６，第２電線押さえ片７０８は、それぞれ、長さ方向Ｘ１から見て、三角形形状に形成されている。長さ方向Ｘ１から見て、第１電線押さえ片７０６の大きさと、第２電線押さえ片７０８の大きさは、ほぼ同じに設定されている。
【０１２０】
電線押さえ片７０６，７０８に、配列方向Ｅ１と平行な方向に被覆電線１０１ｂから荷重が作用したときにおいて、電線押さえ片７０６，７０８の撓み量は、電線保持片７０５，７０７の撓み量よりも小さくなるように、電線押さえ片７０６，７０８の剛性が設定されている。
【０１２１】
第１電線押さえ片７０６は、第１案内傾斜面７０９と、第１電線規制面７１０とを有している。同様に、第２電線押さえ片７０８は、第２案内傾斜面７１１と、第２電線規制面７１２とを有している。
【０１２２】
第１案内傾斜面７０９及び第２案内傾斜面７１１は、挿入方向Ｄ１に沿って変位される被覆電線１０１ｂからの力を、電線保持溝７０４の溝幅を拡げる力に変換するための運動変換部として設けられている。
【０１２３】
第１案内傾斜面７０９及び第２案内傾斜面７１１は、挿入方向Ｄ１における電線保持部７００の上流側の端部から挿入方向Ｄ１に向けて延びるように配置されている。第１案内傾斜面７０９及び第２案内傾斜面７１１は、反対方向Ｄ２側を向くように配置されている。第１案内傾斜面７０９及び第２案内傾斜面７１１は、挿入方向Ｄ１に対して傾斜する形状に形成されており、挿入方向Ｄ１に進むに従い、互いの間隔が狭くなっている。本実施形態では、第１案内傾斜面７０９及び第２案内傾斜面７１１は、それぞれ、平坦な形状に形成されている。
【０１２４】
第１案内傾斜面７０９から挿入方向Ｄ１に進んだ位置に、第１電線規制面７１０が形成されている。同様に、第２案内傾斜面７１１から挿入方向Ｄ１に進んだ位置に、第２電線規制面７１２が形成されている。
【０１２５】
第１電線規制面７１０及び第２電線規制面７１２は、協働して、電線保持溝７０４に挿入された被覆電線１０１ｂが電線保持溝７０４から抜けることを抑制するように構成されている。
【０１２６】
第１電線規制面７１０及び第２電線規制面７１２は、挿入方向Ｄ１側を向くように配置されている。第１電線規制面７１０及び第２電線規制面７１２は、挿入方向Ｄ１と交差する方向に延びており、本実施形態では、挿入方向Ｄ１と直交する平坦面によって形成されている。尚、第１電線規制面７１０及び第２電線規制面７１２は、挿入方向Ｄ１と直交していなくてもよく、挿入方向Ｄ１に対して傾斜する面であってもよい。上記の構成により、電線保持溝７０４に挿入された被覆電線１０１ｂは、電線保持溝７０４に挟まれ、且つ、電線規制面７１０，７１２によって、電線保持溝７０４から抜けることを抑制されている。
【０１２７】
上記の構成を有する第１本体７０２及び第２本体７０３間に、電線保持溝７０４が形成されている。電線保持溝７０４は、被覆電線１０１ｂを保持する溝部として設けられている。電線保持溝７０４は、第１本体７０２と、第２本体７０３と、ベース部７０１とを用いて形成されている。より具体的には、電線保持溝７０４は、第１本体７０２及び第２本体７０３の内側面によって、幅方向Ｙ１における両端部を構成され、且つ、ベース部７０１の内側面によって、底部を構成されている。
【０１２８】
本実施形態では、電線保持溝７０４は、長さ方向Ｘ１から見てＵ字状に形成されており、反対方向Ｄ２に開放されている。このような構成により、電線保持溝７０４は、挿入方向Ｄ１に沿って変位される被覆電線１０１ｂを受け容れることが可能に構成されている。電線保持溝７０４の底部は、長さ方向Ｘ１から見て円弧状に形成されている。長さ方向Ｘ１から見て、電線保持溝７０４の溝幅は、被覆電線１０１ｂの直径と略同じか、被覆電線１０１ｂの直径よりもわずかに小さく設定されている。
【０１２９】
上記の構成を有する電線保持体５０において、ハウジング３への被覆電線１０１ａ，１０１ｂの挿入に伴いハウジング３に作用する負荷を低減するための構成が設けられている。
【０１３０】
具体的には、ハウジング３は、第１剛性低減部８１、第２剛性低減部８２、及び第３剛性低減部８３を有している。
【０１３１】
第１剛性低減部８１は、配列方向Ｅ１に隣接する２つの電線保持部６００，７００において配列方向Ｅ１に隣接する２つの第２電線保持片６０７，７０７間に配置されている。第１剛性低減部８１は、第２電線保持片６０７，７０７の可撓性を増すように構成されている。２つの第２電線保持片６０７，７０７は、本発明の「２つの所定の電線保持片」の一例である。
【０１３２】
第１剛性低減部８１は、ハウジング３における第２電線保持片６０７，７０７間の一部の領域の剛性を低減させる構成を有している。より具体的には、第１剛性低減部８１は、配列方向Ｅ１において、第２電線保持片６０７，７０７間に配置されている。
【０１３３】
第１剛性低減部８１は、第１空間形成部８４を有している。第１空間形成部８４は、第１スリット８５を形成している。第１スリット８５は、第２電線保持片６０７，７０７の先端部から挿入方向Ｄ１に向けて延びるように形成されており、反対方向Ｄ２に開放されている。
【０１３４】
本実施形態では、第１スリット８５は、挿入方向Ｄ１と平行に延びており、挿入方向Ｄ１に細長い。また、挿入方向Ｄ１（厚み方向Ｚ１）において、第１スリット８５の深さＬ１は、電線保持溝６０４（７０４）の深さＬ２よりも小さく設定されている。本実施形態では、第１スリット８５の深さＬ１は、電線保持溝６０４，７０４の深さＬ２の５０％以上１００％未満に設定されている。このように、配列方向Ｅ１と直交し且つ電線保持溝６０４，７０４が延びる方向と平行な厚み方向Ｚ１において、電線保持溝６０４，７０４の深さＬ２（長さ）は、第１剛性低減部８１の深さＬ１よりも大きく設定されている。挿入方向Ｄ１における第１スリット８５の下流側端部は、長さ方向Ｘ１から見て、滑らかな円弧形状に形成されており、第１空間形成部８４に応力集中が生じにくい形状を有している。本実施形態では、配列方向Ｅ１（幅方向Ｙ１）において、第１スリット８５の幅（長さ）は、第２電線保持片６０７，７０７のそれぞれの幅よりも小さく設定されている。電線保持溝６０４，７０４のそれぞれに対応する被覆電線１０１ａ，１０１ｂが同時に挿入される際に、第２電線保持片６０７，７０７同士が過度の力で接触しないように、第１スリット８５の幅が適宜設定されている。
【０１３５】
電線保持溝６０４、第１スリット８５、電線保持溝７０４は、配列方向Ｅ１に沿って並んでいる。即ち、第１スリット８５は、電線保持溝６０４，７０４間に配置されている。より具体的には、第１スリット８５は、配列方向Ｅ１において、２つの第２電線保持片６０７，７０７間に配置されており、且つ、２つの電線押さえ片６０８，７０８間に配置されている。上記の構成を有する第１剛性低減部８１と長さ方向Ｘ１に隣接するようにして、第２剛性低減部８２が配置されている。
【０１３６】
第２剛性低減部８２は、第２電線保持片６０７，７０７の可撓性を増すように構成されている。第２剛性低減部８２は、仕切壁４２に隣接する第２電線保持片６０７，７０７と仕切壁４２との間に形成されている。第２剛性低減部８２は、第２電線保持片６０７，７０７を仕切壁４２と独立して撓み変形可能となるように形成されている。より具体的には、第２剛性低減部８２は、第２電線保持片６０７，７０７と仕切壁４２とを離隔する空間８６を形成している。
【０１３７】
この空間８６が形成されていることにより、仕切壁４２は、電線保持部６００，７００のベース部６０１，７０１とは連続しているけれども、第２電線保持片６０７，７０７とは離隔して配置されている。上記の構成を有する第２剛性低減部８２とは配列方向Ｅ１に離隔して、第３剛性低減部８３（８３１，８３２）が設けられている。
【０１３８】
第３剛性低減部８３（８３１，８３２）は、各第１電線保持片６０５，７０５の可撓性を増すように構成されている。第１電線保持片６０５，７０５は、本発明の「端部電線保持片」の一例であり、配列方向Ｅ１における複数の電線保持部６００，７００の両端部に配置されている。
【０１３９】
第３剛性低減部８３１は、電線保持部６００の第１電線保持片６０５と第３壁部４８との間に配置されており、この電線保持片６０５を第３壁部４８と独立して撓み変形可能にしている。第３剛性低減部８３２は、電線保持部７００の第１電線保持片７０５と第４壁部４９との間に配置されており、この電線保持片７０５を第４壁部４９と独立して撓み変形可能にしている。電線保持部６００，７００は、本発明の「配列方向における複数の電線保持部の端部に配置された端部電線保持部」の一例である。また、第３壁部４８及び第４壁部４９は、それぞれ、本発明の「端部電線保持片に隣接して配置された壁部」の一例である。
【０１４０】
より具体的には、第３剛性低減部８３１，８３２は、第１電線保持片６０５，７０５と対応する第３壁部４８及び第４壁部４９との間にスリット８７，８８を形成している。
【０１４１】
このスリット８７が形成されていることにより、第３壁部４８は、電線保持部６００のベース部６０１とは連続しているけれども、第１電線保持片６０５とは不連続である。同様に、スリット８８が形成されていることにより、第４壁部４９は、電線保持部７００のベース部７０１とは連続しているけれども、第１電線保持片７０５とは不連続である。
【０１４２】
以上が、圧接コネクタ１の概略構成である。
【０１４３】
［圧接コネクタへの被覆電線及び相手側コンタクトの接続作業］
次に、圧接コネクタ１に被覆電線１０１ａ，１０１ｂ及び相手側コンタクト１０２ａ，１０２ｂを接続する作業について説明する。図１１は、被覆電線１０１ａ及び相手側コンタクト１０２ａが接続される前の状態の圧接コネクタ１を示す側面図である。図１２は、被覆電線１０１ａ，１０１ｂが電線保持部６００，７００に挿入される途中の状態を示す側面図であり、一部を断面で示している。
【０１４４】
図１３は、被覆電線１０１ａ，１０１ｂが電線保持部６００，７００に挿入され終わった状態を示す側面図であり、一部を断面で示している。図１４は、圧接コネクタ１に被覆電線１０１ａ，１０１ｂが接続された状態を示す、主要部の平面図である。図１５は、圧接コネクタ１に被覆電線１０１ａ，１０１ｂ及び相手側コンタクト１０２ａ，１０２ｂが接続された状態を示す、主要部の平面図である。
【０１４５】
図１１を参照して、圧接コネクタ１における接続作業に際しては、作業員は、まず、圧接コネクタ１と、被覆電線１０１ａ，１０１ｂとを厚み方向Ｚ１に向かい合わせる。また、作業員は、圧接コネクタ１と、相手側コンタクト１０２ａ，１０２ｂとを厚み方向Ｚ１に向かい合わせる。
【０１４６】
次に、作業員は、被覆電線１０１ａ，１０１ｂを一括して挿入方向Ｄ１に変位することで、被覆電線１０１ａ，１０１ｂを圧接コネクタ１に挿入する。この際、図１２に示すように、被覆電線１０１ａ，１０１ｂは、対応する電線保持部６００，７００に向けて変位される。これにより、被覆電線１０１ａは、第１及び第２電線押さえ片６０６，６０８の案内傾斜面６０９，６１１に接触し、これらの案内傾斜面６０９，６１１間の間隔を拡げる。同様に、被覆電線１０１ｂは、電線押さえ片７０６，７０８の案内傾斜面７０９，７１１に接触し、これらの案内傾斜面７０９，７１１間の間隔を拡げる。即ち、被覆電線１０１ａ，１０１ｂは、対応する電線保持溝６０４，７０４間の間隔を拡げる。
【０１４７】
上記の動作により、被覆電線１０１ａ，１０１ｂは、対応する電線保持溝６０４，７０４の底部へ押し込まれる。この際、第１剛性低減部８１及び第２剛性低減部８２が設けられていることにより、第２電線保持片６０７，７０７が容易に撓む。これにより、第２電線保持片６０７，７０７の先端部は、互いに近づく方向へ変位する。この作用が生じることで、被覆電線１０１ａ，１０１ｂから各第２電線押さえ片６０８，７０８に過度な荷重が作用することが抑制される。また、第３剛性低減部８３が設けられていることにより、第１電線保持片６０５，７０５は容易に撓み、第１電線保持片６０５，７０５の先端部は、互いに遠ざかる方向へ変位する。これにより、被覆電線１０１ａ，１０１ｂから第１電線押さえ片６０６，７０６に過度な荷重が作用することが抑制される。
【０１４８】
被覆電線１０１ａ，１０１ｂが対応する電線保持溝６０４，７０４に挿入されると、図１３に示すように、被覆電線１０１ａは、電線保持溝６０４の底部に保持され、第１電線規制面６１０，第２電線規制面６１２とは隙間をあけて対向する。同様に、被覆電線１０１ｂは、電線保持溝７０４の底部に保持され、第１電線規制面７１０，第２電線規制面７１２とは隙間をあけて対向する。
【０１４９】
また、図１４に示すように、被覆電線１０１ａ，１０１ｂの一部は、圧接コンタクト２ａ，２ｂの対応する第１スロット１０に挿入され、圧接刃１４ａ，１４ｂに接触する。圧接刃１４ａ，１４ｂは、対応する被覆電線１０１ａ，１０１ｂの被覆部１０３を切断し、芯線部１０４を露呈させる。そして、芯線部１０４は、圧接部４に挟まれる。これにより、被覆電線１０１ａ，１０１ｂの芯線部１０４は、対応する圧接部４と接触する。
【０１５０】
また、被覆電線１０１ａ，１０１ｂの一部は、圧接コンタクト２ａ，２ｂの電線保持部８の対応する第３スロット３０に挿入される。これにより、被覆電線１０１ａ，１０１ｂは、対応する電線保持部８に挟まれる。
【０１５１】
次に、作業員は、相手側コンタクト１０２ａ，１０２ｂ（図１４では図示せず）を、挿入方向Ｄ１に変位させ、相手側コンタクト１０２ａ，１０２ｂを対応するスリット５２ａ，５２ｂ及び第２スロット２０に挿入する。これにより、図１５に示すように、相手側コンタクト１０２ａ，１０２ｂは、圧接コンタクト２ａ，２ｂの対応する接点部６の一対の接点凸部２４ａ，２４ｂに挟まれる。これにより、相手側コンタクト１０２ａ，１０２ｂは、対応する接点部６と接触する。その結果、相手側コンタクト１０２ａ，１０２ｂは、対応する圧接コンタクト２ａ，２ｂを介して、対応する被覆電線１０１ａ，１０１ｂの芯線部１０４と電気的に接続される。
【０１５２】
以上説明したように、本発明の第１実施形態にかかる圧接コネクタ１によると、配列方向Ｅ１に隣り合う２つの第２電線保持片６０７，７０７は、互いに向かい合う方向に沿う荷重を受けた場合に、第１剛性低減部８１に向けて変位することができる。これにより、配列方向Ｅ１に隣接する２つの電線保持溝６０４，７０４に同時に被覆電線１０１ａ，１０１ｂが挿入された場合に、２つの第２電線保持片６０７，７０７は、対応する被覆電線１０１ａ，１０１ｂからの荷重を受けて、第１剛性低減部８１に向けて変位することができる。このため、各第２電線保持片６０７，７０７及び各第２電線押さえ片６０８，７０８に過大な負荷が作用することを抑制できる。したがって、複数の被覆電線１０１ａ，１０１ｂが取り付けられる圧接コネクタ１において、破損が生じることを、より確実に抑制できる。
【０１５３】
また、電線押さえ片６０６，６０８；７０６，７０８の大型化、長身化を通じて各電線押さえ片６０６，６０８；７０６，７０８の破損を抑制する構成ではない。このため、電線保持部６００，７００のさらなる小型化を通じて、圧接コネクタ１のさらなる小型化を実現できる。さらに、被覆電線１０１ａ，１０１ｂを一括して対応する電線保持溝６０４，７０４に挿入できるので、圧接コネクタ１と被覆電線１０１ａ，１０１ｂとを接続する作業を、より迅速に行うことができる。
【０１５４】
また、電線保持部６００は、電線保持片６０５，６０７から電線保持溝６０４に向けて突出する電線押さえ片６０６，６０８を有している。また、電線保持部７００は、電線保持片７０５，７０７から電線保持溝７０４に向けて突出する電線押さえ片７０６，７０８を有している。この構成によると、第２電線押さえ片６０６，６０８；７０６，７０８は、電線保持溝６０４，７０４に挿入された対応する被覆電線１０１ａ，１０１ｂを受けることで、被覆電線１０１ａ，１０１ｂが電線保持溝６０４，７０４から抜けることを抑制できる。また、被覆電線１０１ａ，１０１ｂが電線保持溝６０４，７０４に挿入される際、被覆電線１０１ａ，１０１ｂは、第２電線押さえ片６０８，７０８を押しのけるように第２電線押さえ片６０８，７０８と接触することとなる。この際、被覆電線１０１ａ，１０１ｂから第２電線押さえ片６０８，７０８に作用する荷重は、対応する第２電線保持片６０７，７０７に伝わり、その結果、第２電線保持片６０７，７０７が第１剛性低減部８１へ向けて変位する。これにより、被覆電線１０１ａ，１０１ｂから第２電線押さえ片６０８，７０８へ作用する荷重が逃がされ、第２電線押さえ片６０８，７０８が破損することを抑制できる。したがって、第２電線押さえ片６０８，７０８の破損に起因して被覆電線１０１ａ，１０１ｂが電線保持溝６０４，７０４から外れることを、抑制できる。
【０１５５】
また、圧接コネクタ１によると、第２電線押さえ片６０８，７０８と第１剛性低減部８１とは、配列方向Ｅ１に並んで配置されている。この構成によると、被覆電線１０１ａ，１０１ｂから第２電線押さえ片６０８，７０８が受けた荷重によって、第２電線保持片６０７，７０７が変位し易い。これにより、被覆電線１０１ａ，１０１ｂから第２電線押さえ片６０８，７０８へ作用する荷重を逃がす効果が、より強く発揮される。
【０１５６】
また、圧接コネクタ１によると、第１剛性低減部８１は、２つの第２電線保持片６０７，７０７間に形成された第１空間形成部６４を有している。この構成によると、２つの第２電線保持片６０７，７０７間に第１スリット８５を形成するという簡易な構成で、第１剛性低減部８１を実現できる。
【０１５７】
また、圧接コネクタ１によると、電線保持溝６０４，７０４は、反対方向Ｄ２に開放されており、且つ、挿入方向Ｄ１に沿って変位される被覆電線１０１ａ，１０１ｂを受け容れることが可能に構成されている。また、第１空間形成部６４によって形成された第１スリット８５は、反対方向Ｄ２に向けて開放されている。この構成によると、２つの第２電線保持片６０７，７０７間に第１スリット８５を形成するという簡易な構成で、第１剛性低減部８１を実現できる。また、第１剛性低減部８１は、反対方向Ｄ２に向けて開放されている。これにより、第２電線保持片６０７，７０７は、より撓み易くなる。その結果、ハウジング３の破損を、より確実に抑制できる。
【０１５８】
また、圧接コネクタ１によると、電線保持溝６０４，７０４の深さ（長さ）Ｌ２は第１剛性低減部８１の深さ（長さ）Ｌ１よりも大きく設定されている。この構成によると、第２電線保持片６０７，７０７の撓み量が過度に大きくなることを抑制できる。よって、第２電線保持片６０７，７０７が対応する被覆電線１０１ａ，１０１ｂを保持する力を、十分に確保することができる。
【０１５９】
また、圧接コネクタ１によると、ハウジング３は、仕切壁４２に隣接する第２電線保持片６０７，７０７と仕切壁４２との間に形成された第２剛性低減部８２を有している。この構成によると、仕切壁４２が設けられていることにより、配列方向Ｅ１に沿って並ぶ圧接コンタクト２ａ，２ｂ同士が接触することを抑制できる。また、仕切壁４２に隣接する第２電線保持片６０７，７０７と仕切壁４２との間に第２剛性低減部８２が形成されている。これにより、第２電線保持片６０７，７０７の可撓性を、より大きく確保できる。よって、電線保持溝６０４，７０４に被覆電線１０１ａ，１０１ｂが挿入される際に電線保持部６００，７００に過度に大きい力が作用することを、抑制できる。
【０１６０】
また、圧接コネクタ１によると、電線保持部６００の第１電線保持片６０５と第３壁部４８との間に第３剛性低減部８３１が形成されている。また、電線保持部７００の第１電線保持片７０５と第４壁部４９との間に第３剛性低減部８３２が形成されている。これにより、第１電線保持片６０５，７０５の可撓性を、十分に確保できる。よって、第１電線保持片６０５，７０５を用いて形成された電線保持溝６０４，７０４に被覆電線１０１ａ，１０１ｂが挿入される際に、上記第１電線保持片６０５，７０５に過度に大きい力が作用することを、抑制できる。
【０１６１】
［変形例］
以上、本発明の実施形態について説明したけれども、本発明は上記実施形態に限られず、特許請求の範囲に記載した限りにおいて様々な変更が可能である。例えば、次のように変更して実施してもよい。尚、以下では、上記実施形態と異なる構成を主に説明し、上記実施形態と同様の構成については、図に同様の符号を付し、詳細な説明を省略する。
【０１６２】
［第１変形例］
図１６は、本発明の第１変形例に係る圧接コネクタ１Ａの斜視図であり、圧接コネクタ１Ａを電線保持体５０Ａ側から見た状態を示している。図１７は、本発明の第１変形例に係る圧接コネクタ１Ａの主要部の斜視図であり、圧接コネクタ１Ａをコンタクト保持部４４ａ側から見た状態を示している。
【０１６３】
図１６及び図１７を参照して、本第１変形例では、圧接コネクタ１Ａのハウジング３Ａは、第１剛性低減部８１Ａを有している。第１剛性低減部８１Ａは、第１空間形成部８４と、第１空間形成部８４に配置された低剛性部材８９とを有している。
【０１６４】
本変形例では、ハウジング３Ａは、低剛性部材８９と、ハウジング本体９０とを有している。
【０１６５】
ハウジング本体９０は、第１実施形態におけるハウジング３と同一の構成を有している。ハウジング本体９０の材料である合成樹脂は、ハウジング３Ａの母材である。低剛性部材８９は、ハウジング本体９０に保持されている。低剛性部材８９は、ハウジング本体９０の第１スリット８５を埋めるように配置されている。本変形例では、低剛性部材８９の材料は、ゴムであり、弾性変形可能である。低剛性部材８９の材料の剛性は、ハウジング本体９０の材料の剛性よりも低く設定されている。換言すれば、低剛性部材８９の材料の弾力性は、ハウジング本体９０の材料の弾力性よりも高く設定されている。即ち、第１剛性低減部８１Ａは、ハウジング３Ａの母材の弾力性よりも高い弾力性を有する材料を用いて形成されている。
【０１６６】
以上説明した圧接コネクタ１Ａによると、低剛性部材８９は、第２電線保持片６０７，７０７の間の第１スリット８５の少なくとも一部を埋めることとなる。これにより、埃等の異物がハウジング３Ａの外部からハウジング３Ａの内部に侵入することを、より確実に抑制できる。
【０１６７】
［第２変形例］
図１８は、本発明の第２変形例に係る圧接コネクタ１Ｂの斜視図であり、圧接コネクタ１Ｂを電線保持体５０側から見た状態を示している。図１９は、本発明の第２変形例に係る圧接コネクタ１Ｂの側面図である。
【０１６８】
図１８及び図１９を参照して、本変形例では、圧接コネクタ１Ｂのハウジング３Ｂは、ストッパ部９１，９２を有している。
【０１６９】
ストッパ部９１，９２は、配列方向Ｅ１における電線保持体５０の両端部に配置された第１電線保持片６０５，７０５の変位量を規制するために設けられている。第１電線保持片６０５，７０５は、本発明の「端部電線保持片」の一例である。
【０１７０】
ストッパ部９１は、第３壁部４８から長さ方向Ｘ１の一方に延びる小片状に形成されており、第１電線保持片６０５に隣接して配置されている。ストッパ部９２は、第４壁部４９から長さ方向Ｘ１の一方に延びる小片状に形成されており、第１電線保持片７０５に隣接して配置されている。
【０１７１】
圧接コネクタ１Ｂに外力が作用していない状態としての自由状態において、配列方向Ｅ１における第１電線保持片６０５とストッパ部９１との間には、間隔Ｋ１１が設けられている。間隔Ｋ１１は、配列方向Ｅ１における第１スリット８５の幅の略半分と同じに設定されていることが好ましい。同様に、自由状態において、配列方向Ｅ１における第１電線保持片７０５とストッパ部９２との間には、間隔Ｋ１２が設けられている。間隔Ｋ１２は、配列方向Ｅ１における第１スリット８５の幅の略半分と同じに設定されていることが好ましい。このような構成により、被覆電線１０１ａ，１０１ｂが電線保持溝６０４，７０４に挿入される際において、各電線保持片６０５，６０７；７０５，７０７の先端部が配列方向Ｅ１に変位する量を、ほぼ同じに規制できる。
【０１７２】
尚、被覆電線１０１ａ，１０１ｂが電線保持溝６０４，７０４に挿入される際、ストッパ部９１，９２は、対応する第１電線保持片６０５，７０５を受けるように配置されていてもよいし、対応する第１電線保持片６０５，７０５を受けないように配置されていてもよい。
【０１７３】
この構成によると、例えば、圧接コネクタ１Ｂの運搬時に第１電線保持片６０５，７０５に異物が接触した場合等、当該第１電線保持片６０５，７０５に大きな力が作用した場合に、当該第１電線保持片６０５，７０５の過度な変位は、ストッパ部９１，９２によって規制される。よって、第１電線保持片６０５，７０５に塑性変形、破損等が生じることを抑制できる。
【０１７４】
［他の変形例］
（１）上記実施形態及び各変形例では、電線保持部が２つ設けられる形態を例に説明した。しかしながら、この通りでなくてもよい。例えば、図２０に示すように、３つ以上の電線保持部６００，７００，８００を有する電線保持体５０Ｃが設けられてもよい。この場合、配列方向Ｅ１における電線保持体５０Ｃの両端部の電線保持部６００，７００は、第１実施形態における電線保持部６００，７００と同様の構成を有している。また、電線保持部８００は、電線保持部６００，７００の間に配置されている。電線保持部８００は、第２本体６０３，７０３を有している。電線保持部８００の第２電線保持片６０７，７０７は、第１スリット８５を介して対応する電線保持部６００，７００，８００に隣接している。
【０１７５】
（２）また、上記実施形態及び各変形例では、圧接コネクタのハウジングに第２剛性低減部及び第３剛性低減部が設けられている形態を例に説明した。しかしながら、この通りでなくてもよい。例えば、第２剛性低減部及び第３剛性低減部の少なくとも一方は、省略されていてもよい。この場合でも、第１剛性低減部が設けられていることにより、第２電線保持片の可撓性を十分に確保できる。
【０１７６】
（３）また、上記実施形態及び各変形例では、第１スリットが反対方向に開放されている形態を例に説明した。しかしながら、この通りでなくてもよい。例えば、第１スリットは、反対方向に開放されていなくてもよい。
【０１７７】
（４）また、上記実施形態及び各変形例では、圧接コンタクトに接続される第１導電部材及び第２導電部材として、被覆電線の芯線部と、板状の相手側コンタクトとを例示した。しかしながら、この通りでなくてもよい。第１導電部材及び第２導電部材について、双方が芯線部であってもよい。また、例えば、一方の導電部材として、回路基板、ＦＦＣ（フレキシブルフラットケーブル）、ＦＰＣ（フレキシブルプリント基板）等、他の導電部材を用いてもよい。
【０１７８】
（５）また、上記実施形態及び各変形例では、圧接コネクタの構成について、種々説明した。しかしながら、本発明の圧接コネクタのハウジングは、配列方向に隣り合う少なくとも２つの電線保持部を有していればよく、これ以外の構成は、限定されない。
【産業上の利用可能性】
【０１７９】
本発明は、圧接コネクタ及びこれに用いられるハウジングとして、広く適用することができる。
【符号の説明】
【０１８０】
１Ａ，１Ｂ                      圧接コネクタ
２ａ，２ｂ                      圧接コンタクト
３，３Ａ，３Ｂ                  ハウジング
４２                            仕切壁（仕切部）
４８，４９                      壁部（端部電線保持片に隣接して配置された壁部）
８１                            第１剛性低減部
８２                            第２の剛性低減部
８３                            第３の剛性低減部
８４                            第１空間形成部
９１，９２                      ストッパ部
１０１ａ，１０１ｂ              被覆電線
１０３                          被覆部
１０４                          芯線部
６００，７００，８００          電線保持部
６０４，７０４                  電線保持溝
６０５，７０５                  第１電線保持片（端部電線保持片）
６０６，６０８，７０６，７０８  電線押さえ片（突起部）
７０５，７０７                  第２電線保持片（２つの所定の電線保持片）
Ｄ１                            挿入方向
Ｄ２                            反対方向
Ｅ１                            配列方向
【図１】
2014209410.tif 000003
【図２】
2014209410.tif 000004
【図３】
2014209410.tif 000005
【図４】
2014209410.tif 000006
【図５】
2014209410.tif 000007
【図６】
2014209410.tif 000008
【図７】
2014209410.tif 000009
【図８】
2014209410.tif 000010
【図９】
2014209410.tif 000011
【図１０】
2014209410.tif 000012
【図１１】
2014209410.tif 000013
【図１２】
2014209410.tif 000014
【図１３】
2014209410.tif 000015
【図１４】
2014209410.tif 000016
【図１５】
2014209410.tif 000017
【図１６】
2014209410.tif 000018
【図１７】
2014209410.tif 000019
【図１８】
2014209410.tif 000020
【図１９】
2014209410.tif 000021
【図２０】
2014209410.tif 000022